(57)【要約】【課題】画像形成装置の資源節約を推進する。【解決手段】用紙や電力など、画像形成処理の際に消費される資源の量（資源使用量）を累積計数する（Ｓ１０）。そして、資源についての目標閾値の設定があるかどうか判定し（Ｓ１２）、目標閾値の設定があれば、現在の資源使用量をその目標閾値と比較する（Ｓ１４）。資源使用量が目標閾値よりも大きければ、節約を強く呼びかける節約要請メッセージを画像形成装置のタッチパネルに表示する（Ｓ１６）。資源使用量が目標閾値以下ならば、目標閾値よりも小さい予防閾値と更に比較し（Ｓ２０）、資源使用量が予防閾値よりも大きければ節約を呼びかける節約推奨メッセージを表示する（Ｓ２２）。目標閾値や予防閾値は画像形成装置の使用現場の状況に応じて適宜設定できる。【選択図】　　　　図２
2004004296.tif 000002
【特許請求の範囲】
【請求項１】
画像形成処理による所定の資源の使用量を累積計数する使用量計数手段と、
前記使用量計数手段で計数された累積使用量が所定の実行条件を満足した場合に、所定の節約推奨処理を実行する節約推奨手段と、
を備える画像形成装置。
【請求項２】
画像形成処理による所定の資源の使用量を累積計数する使用量計数手段と、
資源節約効果が段階的に異なる複数の節約推奨処理を実行する機能を備え、前記使用量計数手段で計数された累積使用量の値の大きさに応じた段階の節約推奨処理を選択実行する節約推奨手段と、
を備える画像形成装置。
【請求項３】
前記節約推奨処理は、ユーザインタフェース画面に節約を促すメッセージを表示する処理であることを特徴とする請求項１又は２記載の画像形成装置。
【請求項４】
印刷対象の原稿のカラー割合を算出する割合算出手段を更に備え、
前記節約推奨手段は、前記実行条件が満足された場合の前記節約推奨処理として、前記割合算出手段で算出したカラー割合を所定値と比較し、該割合が所定値以下でありかつカラー印刷が指定されている場合は、カラー印刷を続行するか否かの判断を求めるユーザインタフェース画面をユーザに提示する、
ことを特徴とする請求項１記載の画像形成装置。
【請求項５】
所定の節約印刷処理を実行する機能を備え、
前記節約推奨手段は、前記実行条件が満足された場合の前記節約推奨処理として、前記節約印刷処理を実行するか否かの判断を求めるユーザーインタフェース画面をユーザに提示する、
ことを特徴とする請求項１記載の画像形成装置。
【請求項６】
前記使用量計数手段の計数結果を表示する表示手段と、
前記使用量計数手段が計数する累積使用量の値を初期化するための使用量初期化ユーザインタフェース手段と、
を備える請求項１記載の画像形成装置。
【請求項７】
ユーザから基準とする画像形成モードの登録を受け付ける手段と、
前記実行条件として、前記累積使用量の計数値についての閾値を設定するための閾値設定ユーザインタフェース画面を提供する手段であって、前記基準とする画像形成モードで画像形成した場合の前記所定の資源の消費レートを計算し、この消費レートを前記閾値設定ユーザインタフェース画面に表示する手段と、
を備える請求項１記載の画像形成装置。
【請求項８】
印刷対象の原稿のカラー割合を算出する割合算出手段と、
画像形成処理の開始の指示があったときに、前記割合算出手段で算出されたカラー割合が所定のしきい値以下である場合は、カラー印刷を続行するか否かの判断を求めるユーザインタフェース画面をユーザに提示する節約推奨手段と、
を備える画像形成装置。
【請求項９】
所定の節約印刷処理を実行する節約印刷手段と、
前記節約印刷手段の動作を有効化するか否かの設定を受け付ける節約設定手段と、
画像形成処理の開始の指示があったときに、前記節約設定手段において前記節約印刷手段の動作の有効化の設定がなされていない場合は、前記節約印刷手段の動作を有効化するか否かの判断を求めるユーザインタフェース画面をユーザに提示する節約推奨手段と、
を備える画像形成装置。
【請求項１０】
ジョブの画像形成モードに基づき、当該ジョブの用紙使用量を、当該画像形成装置の消費電力及び使用料金にそれぞれ換算する換算手段と、
ジョブの用紙使用量、消費電力、及び使用料金をそれぞれ累積計数する計数手段と、
前記計数手段で累積計数した用紙使用量、消費電力、及び使用料金の各々の計数値を表示する計数値表示手段と、
前記計数手段が累積計数する用紙使用量、消費電力、及び使用料金の各々の計数値を初期化するためのユーザインタフェースを提供する初期化手段と、
を備える画像形成装置。
【発明の詳細な説明】
【０００１】
【発明の属する技術分野】
本発明は、画像形成装置における資源節約のための技術に関する。
【０００２】
【従来の技術】
環境保護活動の広まりに伴い、画像形成装置においても、紙資源の節約のための仕組みが従来より各種提案されている。
【０００３】
例えば特開昭６１−５１１６７号公報には、使用した用紙の枚数を用紙サイズごとに集計し、その集計結果を表示する機能を備えた画像形成装置が開示されている。また特開平３−２５５４６９号公報には、片面コピーと両面コピーのどちらを選択したかなどのコピー設定の内容を蓄積し、使用部門ごとに集計する機能を備えた画像形成装置が開示されている。これらの装置では、集計結果を用紙節約への取り組みに利用することができる。
【０００４】
また更に積極的に用紙節約を図るものとして、両面コピーや裏紙（片面が使用済みの用紙）を用いたコピーをデフォルトのモードとして設定でき、ユーザから明示的な指示がない場合そのデフォルトのモードで画像形成を実行する画像形成装置も存在する。また、特開平１１−３３８３１４号公報には、通常の用紙と裏紙とで異なる課金を課すことで裏紙の使用を推進する装置が開示されている。
【０００５】
また最近では、複数（Ｎ）ページの原稿画像をまとめて用紙１ページに印刷する機能（“Ｎｕｐ（Ｎアップ）”機能、“Ｎｉｎ１”機能等と呼ばれる）を備えた画像形成装置も普及している。そして、このＮ−ＵＰ機能や、これを両面あるいは裏紙と組み合わせて実行するコピーモードをデフォルトのモードとして設定可能な画像形成装置も知られている。
【０００６】
【発明が解決しようとする課題】
両面コピーなど用紙を節約できるコピーモードをデフォルトモードとして設定できる画像形成装置は、確かに用紙節約の点で有効性が高い。しかし、常にそのような用紙節約のモードに設定していたのでは、それ以外のモードでコピーする場合にはモード変更操作を行う必要があり、操作が繁雑になる。また、オフィス等の画像形成装置の使用現場では、ある一定期間ごとに用紙や装置利用課金の使用上限を目標値として定めるケースがあるが、このようなケースにおいて、期間の初めから用紙節約のデフォルトモードに設定していたのでは、上述のモード変更操作等の繁雑さでトータルとしての生産性を減じる可能性がある。
【０００７】
以上、コピーの場合を例にとって説明したが、同様の問題はコピー機以外の画像形成装置（例えばプリンタ）にも当てはまる。
【０００８】
本発明は、このような課題に鑑みなされたものであり、ユーザの用紙節約に対する意識を高めることができる画像形成装置を提供することを目的とする。
【０００９】
【課題を解決するための手段】
上記目的を達成するため、本発明に係る画像形成装置は、画像形成処理による所定の資源の使用量を累積計数する使用量計数手段と、前記使用量計数手段で計数された累積使用量が所定の実行条件を満足した場合に、所定の節約推奨処理を実行する節約推奨手段と、を備える。
【００１０】
また本発明に係る画像形成装置は、画像形成処理による所定の資源の使用量を累積計数する使用量計数手段と、資源節約効果が段階的に異なる複数の節約推奨処理を実行する機能を備え、前記使用量計数手段で計数された累積使用量の値の大きさに応じた段階の節約推奨処理を選択実行する節約推奨手段と、を備える。
【００１１】
本発明の好適な態様では、画像形成装置は、所定の節約印刷処理を実行する機能を備え、前記節約推奨手段は、前記実行条件が満足された場合の前記節約推奨処理として、前記節約印刷処理を実行するか否かの判断を求めるユーザーインタフェース画面をユーザに提示する。
【００１２】
ここで、節約印刷処理には、両面印刷、Ｎｕｐ印刷、裏紙トレイからの給紙、白黒印刷、ステープルどめ等の後処理の禁止、などが含まれる。
【００１３】
また、本発明に係る画像形成装置は、印刷対象の原稿のカラー割合を算出する割合算出手段と、画像形成処理の開始の指示があったときに、前記割合算出手段で算出されたカラー割合が所定のしきい値以下である場合は、カラー印刷を続行するか否かの判断を求めるユーザインタフェース画面をユーザに提示する節約推奨手段とを備える。
【００１４】
また本発明に係る画像形成装置は、所定の節約印刷処理を実行する節約印刷手段と、前記節約印刷手段の動作を有効化するか否かの設定を受け付ける節約設定手段と、画像形成処理の開始の指示があったときに、前記節約設定手段において前記節約印刷手段の動作の有効化の設定がなされていない場合は、前記節約印刷手段の動作を有効化するか否かの判断を求めるユーザインタフェース画面をユーザに提示する節約推奨手段とを備える。
【００１５】
また本発明に係る画像形成装置は、ジョブの画像形成モードに基づき、当該ジョブの用紙使用量を、当該画像形成装置の消費電力及び使用料金にそれぞれ換算する換算手段と、ジョブの用紙使用量、消費電力、及び使用料金をそれぞれ累積計数する計数手段と、前記計数手段で累積計数した用紙使用量、消費電力、及び使用料金の各々の計数値を表示する計数値表示手段と前記計数手段が累積計数する用紙使用量、消費電力、及び使用料金の各々の計数値を初期化するためのユーザインタフェースを提供する初期化手段と、を備える。
【００１６】
【発明の実施の形態】
以下、本発明の実施の形態（以下実施形態という）について、図面に基づいて説明する。
【００１７】
図１は、本発明に係る制御処理が適用される画像形成装置の構成の一例を示す図である。この図では、画像形成装置の一種として、複写機を例示している。なお、以下の説明から明らかなように、本実施形態のリセット制御の適用範囲は、図１に示した複写機に限られるものではなく、それ以外の画像形成装置一般に適用可能である。
【００１８】
この図に示すように、複写機は、紙原稿に示された画像を光学的に読み取って電子的な画像信号に変換する原稿読取部１０を備える。原稿送り部１２は、複写対象の原稿の束を載置するトレイを備え、そのトレイに対して載置された原稿を一枚ずつ原稿読取部１０に給送する。印刷部１４は、読み取られた原稿の画像を紙などのシート状媒体（以下「用紙」と呼ぶ）に印刷する機構である。印刷部１４は、複数の用紙トレイ１６を備えており、複数種類の用紙を保持できる。この印刷部１４で印刷された印刷済み用紙は、用紙排出部２０に排出される。用紙排出部２０は、複数の排出トレイ２２を有している。
【００１９】
機械操作部（操作パネル）２４は、この複写機の操作のための情報を表示し、ユーザからの操作指示の入力を受け付けるＵＩ（ユーザインタフェース）機構である。機械操作部２４は、タッチパネル２６や各種の操作ボタンを備える。タッチパネル２６は、画面に情報を表示すると共に、その画面に対しユーザが指で触れた場所を検知する機能を備える。機械操作部２４は、各種の操作メニューや操作指示ボタンを表示したＧＵＩ表示を生成してタッチパネル２６に表示させるとともに、そのＧＵＩ表示上でユーザが触れた場所の情報をタッチパネル２６から受け取って、ユーザの入力内容を解釈し、その入力内容に応じた処理指示を機械制御部２８に伝達する。操作ボタンには、複写ジョブの開始を指示するためのスタートキーや、数値入力のためのテンキーなどがあり、機械操作部２４は、これら操作ボタンが押下された場合、その旨を示す信号を機械制御部２８に伝達する。
【００２０】
機械制御部２８は、以上に説明した各ユニット１０〜２６を制御して、複写機としての動作を実現するための制御機構である。例えば機械制御部２８は、機械操作部２４から入力された複写操作指示（例えば部数や両面印刷指定の有無など）に対応した制御信号を原稿送り部１２，原稿読取部１０，印刷部１４，用紙排出部２０に供給することで、その操作指示に応じた複写処理を実現する。また、機械制御部２８は、それら各ユニット１０〜２６からそのユニットの状態を示す信号を受け取り、例えば紙詰まり等の誤動作が発生した場合には、その誤動作に応じた制御を行う。また機械制御部２８は、本実施形態の節約推進処理を実現するための主たる制御を行う。後に説明する資源使用量のカウンタや、各種のユーザ設定内容等は、この機械制御部２８で管理される。機械制御部２８は、ＲＯＭや不揮発性メモリに記憶された制御プログラムや各種パラメータ値をプロセッサにより処理することで実現される。
【００２１】
なお、図１では省略しているが、この複写機は、ＬＡＮ（Ｌｏｃａｌ　Ａｒｅａ　Ｎｅｔｗｏｒｋ）等の通信ネットワークに接続可能であり、このネットワークを介してホストコンピュータからの印刷指示を受け取り、これを印刷出力することもできる。また、印刷結果の用紙束に対してステープルどめ処理などを実行する後処理装置を、画像形成装置に増設することも可能である。
【００２２】
次に、この画像形成装置における資源節約推進処理について説明する。
【００２３】
本実施形態の画像形成装置では、画像形成装置で使用する資源の累積使用量が所定の閾値を超えたときに、資源節約を呼びかけるメッセージをタッチパネル２６に表示する。ここで、画像形成装置で使用する資源には、例えば用紙、電力、料金（課金額）などがある。
【００２４】
図２にこの処理の一例の手順を示す。図２に示す手順では、目標閾値及び予防閾値の２つの閾値を用いる。このように２段階の閾値を設けるのは、それら各閾値に応じて、節約推進処理の内容を段階的に変えるためである。ここでは、目標閾値を節約推進処理のための主たる目標値として用い、予防閾値は、資源の累積使用量（以下単に資源使用量と呼ぶ）がその目標閾値に接近していることを示すための閾値として用いる。例えば、所定期間において当該画像形成装置で使用する資源の使用予定量を目標閾値として設定するなどの利用が可能である。なおこれら目標閾値及び予防閾値は、用紙、電力などといった資源の種類ごとに設定可能とする。
【００２５】
この手順では、画像形成済みの用紙を排出したとき、注目する資源の使用量のカウンタをカウントアップする（Ｓ１０）。このカウンタは、機械制御部２８に設けられている。注目する資源が複数ある場合は、例えば用紙使用枚数カウンタ、消費電力量カウンタ、料金カウンタなどと、各資源ごとにカウンタを用意し、それら各カウンタをそれぞれカウントアップすればよい。消費電力量カウンタや料金カウンタは、その排出した用紙の画像形成の際の画像形成モード（すなわちカラー印刷／モノクロ印刷や片面印刷／両面印刷などの処理内容に組合せ）に応じた所定の単位量だけカウントアップすればよい。機械制御部２８には、画像形成モードごとの用紙１枚あたりの各資源（消費電力量、料金など）のカウントアップ単位量、又はそのカウントアップ単位量を求めるためのプログラムなどをあらかじめ登録しておく。
【００２６】
次に、注目する資源に対して目標閾値が設定されているか否かを判定する（Ｓ１２）。注目する資源が複数ある場合は、各資源ごとに、対応する目標閾値が設定されているかを判定する。この判定において、目標閾値が設定されていないと判定した場合は、資源節約推進に関する処理を終了する。
【００２７】
ステップＳ１２の判定において、目標閾値が設定されていると判定した場合は、カウンタが示す資源使用量の値とその目標閾値を比較する（Ｓ１４）。この比較の結果、資源使用量が目標閾値を超えていれば、機械制御部２８は、タッチパネル２６に対して所定の節約要請メッセージを表示する（Ｓ１６）。好適な実施例では、このメッセージ表示は、このジョブが終了してから行う。ただし、このジョブの実行中に節約要請メッセージ表示を行うこともできる。
【００２８】
ステップＳ１４の比較処理で資源使用量が目標閾値以下であると判定した場合は、その資源に対して予防閾値が設定されているかどうかを判定する（Ｓ１８）。予防閾値としては、目標閾値よりも小さい値を設定する。この予防閾値が設定されていないと判定した場合は、資源節約推進に関する処理を終了する。
【００２９】
ステップＳ１８で予防閾値が設定されていると判定した場合は、カウンタが示す資源使用量を予防閾値と比較する（Ｓ２０）。この判定の結果資源使用量が予防閾値以下であれば、資源節約推進に関する処理を終了する。一方、その判定において資源使用量が予防閾値を超えていると判定された場合は、機械制御部２８は、タッチパネル２６に節約推奨メッセージを表示する（Ｓ２２）。このメッセージも、好適には当該ジョブの終了後に表示するが、当該ジョブの実行中に表示する変形も可能である。
【００３０】
そして、タッチパネル２６に節約要請メッセージ又は節約推奨メッセージが表示された場合、ユーザは機械操作部２４を操作して、より資源が節約できるように画像形成モードを変更し、ジョブを再開することができる。また、そのままの画像形成モードでジョブを再開することもできる。すなわち、本実施形態は、ユーザの節約意識を喚起することを第１の目的としており、図２の処理では強制的に資源を節約するモードに切り替えることはしていない。
【００３１】
図２に例示した処理手順でタッチパネル２６に表示されるＵＩ画面の例を図３に示す。この例は、注目する資源が用紙である場合のものである。図３において、（ａ）はタッチパネル２６に表示される基本ＵＩ画面の一例を示す。このＵＩ画面は、ユーザへのメッセージを表示するメッセージエリア１００と、ユーザから操作を受け付けるためのボタンやタブ等のＧＵＩオブジェクトを表示するメインエリア１１０とを有する。節約要請メッセージや節約推奨メッセージは、メッセージエリア１００に表示される。（ｂ）は、ステップＳ２２で表示されるＵＩ画面の一例であり、この例ではメッセージエリア１１０に「用紙使用量が予定量に近づきました。節約を心がけましょう。」という節約推奨メッセージ１０２が表示されている。（ｃ）は、ステップＳ１６で表示されるＵＩ画面の一例であり、メッセージエリア１１０に「用紙使用量が予定量を超えました。両面や集約モード、裏紙を使いましょう。」という節約要請メッセージ１０４ａが表示されている。この例にも示したように、節約要請メッセージ１０４ａは、節約推奨メッセージ１０２よりも訴求度がより強い表現となっている。また節約要請メッセージ１０４ａでは、両面や集約モードなど具体的な節約法を提示することで、より節約の効果が高まるように配慮している。なお、節約要請メッセージ１０４ａに示される「集約モード」とは、Ｎｕｐ印刷のことである。
【００３２】
ユーザがこれら節約推奨メッセージや節約要請メッセージを見て用紙を節約しようと思えば、メインエリア１１０に示されるタブやボタンなどのＧＵＩ（グラフィカルＵＩ）オブジェクトの選択操作により、両面モードやＮｕｐモードなどの画像形成モードへと変更することができる。この画像形成モードの変更の後、機械操作部２４に設けられるスタートボタンを押下することで、変更した画像形成モードにてジョブを再開することができる。また節約推奨メッセージや節約要請メッセージが表示された場合でも、画像形成モードの変更操作を行わずにスタートボタンを押下すれば、そのままの画像形成モードでジョブを再開することができる。
【００３３】
図４は、他の資源に注目した場合の節約要請メッセージの表示例を示す図であり、（ａ）は注目する資源が電力である場合、（ｂ）は注目する資源が料金である場合のものである。（ａ）の例では「消費電力量が予定量を超えました。白黒コピーを使いましょう。ステープルは自分でしましょう。」という節約要請メッセージ１０４ｂが、（ｂ）の例では「料金が予定量を超えました。白黒コピーや集約モードを使いましょう。」という節約要請メッセージ１０４ｃが示されている。これらの例から分かるように、この画像形成装置では、節約要請メッセージに示す節約法の提示の内容を、注目する資源の種類に対応したものとしている。例えば電力に注目する場合、カラーコピーよりも白黒コピーの方が消費電力が小さく、また後処理装置を駆動しない方が消費電力が小さいので、（ａ）のようなメッセージとなる。また、料金の額は課金規則に依存するが、カラーよりも白黒の方が安く、また１ページ（片面）単位で課金するという一般的な課金規則では、（ｂ）のようなメッセージとなる。
【００３４】
次に、上記処理手順で用いられる目標閾値及び予防閾値の設定用のＵＩの一例を図５及び図６を参照して説明する。
【００３５】
図５（ａ）は、閾値設定用の初期画面１２０の一例を示す図である。この初期画面は、図３（ａ）等に示すＵＩ画面上に設けられる当該初期画面呼出用のＧＵＩボタンの押下により、タッチパネル２６に表示される。この初期画面呼出用のハードウエアボタンを機械操作部２４に設けてももちろんよい。この初期画面呼出に対し、暗証番号入力などの保護の仕組みを設けることで、閾値設定可能な権限者を限定することが可能である。
【００３６】
この初期画面１２０は、用紙、電力、料金の各資源についての閾値設定が可能な場合の例である。初期画面１２０には、基準値設定ボタン１２２，用紙使用枚数設定ボタン１２４，消費電力量設定ボタン１２６，及び料金設定ボタン１２８が表示される。
【００３７】
基準値設定ボタン１２２が押下されると、図５（ｂ）に示す基準値ガイド画面１３０が表示される。このガイド画面１３０は、ユーザに対して閾値設定の目安を提供するための画面である。ここで、「基準値」とは、閾値設定の目安を計算する際の基準となる画像形成モードのことである。現在設定されている基準値の内容は基準値表示欄１３２に表示される。この基準値表示欄１３２には、画像形成モードを規定する個別の「機能」ごとに、基準値を設定しない場合（「設定なし」）の値と、現在設定されている基準値での値とが示される。この基準値表示欄１３２は、アップダウンボタンの操作により上下にスクロールすることで、画像形成モードで指定可能なすべての機能についての値を表示できる。
【００３８】
また、このガイド画面１３０には、「基準値」として設定された画像形成モードで画像形成処理を行った場合の、各資源の消費レートを表示する目安表示欄１３４が含まれる。この例では、目安表示欄１３４には、「設定なし」の場合と、現在の「基準値」の場合について、それぞれ用紙１枚あたりの消費電力及び料金と、原稿１００枚当たりの用紙使用枚数とが表示される。
【００３９】
基準値変更ボタン１３６は、現在設定されている基準値を変更するためのＧＵＩボタンであり、これが押下されると図５（ｃ）に示す基準値設定画面１３８が表示される。基準値設定画面１３８では、メインエリア１１０に表示した画像形成モード設定用のＧＵＩにて各機能の値を設定したのち、設定ボタン１３９を押下することで、新たに設定された各機能の値が基準値として機械制御部２８に登録される。設定ボタン１３９が押下されると、タッチパネル２６には（ｂ）の基準値ガイド画面１３０が表示され、基準値表示欄１３２には新たに設定された基準値が表示される。
【００４０】
図５（ａ）の初期画面１２０における用紙使用枚数設定ボタン１２４、消費電力量設定ボタン１２６、料金設定ボタン１２８は、それぞれ用紙、電力、料金についての目標閾値、予防閾値の設定のためのＵＩ画面を呼び出すためのボタンである。閾値の設定ＵＩ画面の形式は資源の種類によらず共通なので、ここでは用紙の場合を例にとって説明する。
【００４１】
図６（ａ）は、用紙使用枚数設定ボタン１２４が押下された時に表示される画面１４０の一例を示す図である。この画面１４０には、用紙についての閾値を設定するか否かを選択するボタン１４２ａ，１４２ｂが表示される。
【００４２】
ここで、「する」ボタン１４２ａが押下されると、（ｂ），（ｃ）に示す閾値入力画面１５０が表示される。閾値入力画面１５０には、「目標にする用紙使用枚数」の入力欄１５２ａと「目標前の用紙使用枚数」の入力欄１５２ｂが表示されているが、前者が目標閾値に対応し、後者が予防閾値に対応する。入力欄１５２ａ及び１５２ｂのどちらを入力対象にするかは、「決定／次選択」ボタン１５４の押下により順次切り替えることができる。（ｂ）は目標閾値の入力欄１５２ａが（ｃ）は予防閾値の入力欄１５２ｂが、それぞれ入力対象に選択されている場合の例である。入力欄１５２ａ，１５２ｂに入力する数値は、機械操作部２４に設けられたテンキーから入力できる。なお、予防閾値の入力欄１５２ｂには、目標閾値の入力欄１５２ａに表示された数値より大きい値の入力ができないようにする。
【００４３】
閾値入力画面１５０で閾値を入力した後、「閉じる」ボタン１５６を押下すると、機械制御部２８にその閾値が記憶され、（ａ）に示される画面１４０に戻る。この画面１４０で決定ボタン１４８を押下すると、入力された閾値が有効になり、図２の処理手順で利用される。
【００４４】
画面１４０で「しない」ボタン１４２ａを押下し、決定ボタン１４８を押下すると、機械制御部２８に記憶されている閾値は無効化され、この結果図２の処理手順では閾値設定なしと判断される。
【００４５】
なお、画面１４０には、機械制御部２８に記憶されている用紙使用枚数の目標閾値まで、現在の基準値の設定で画像形成した場合の消費電力量及び料金を示す目安表示１４４が表示されている。ユーザは、閾値を変更するか否かの判断の際に、この目安表示１４４を参考にすることができる。なお、一般化すると、目安表示１４４には、当該画面１４０で対象としている資源の目標閾値を、他の資源についての値に換算した結果が表示されることになる。
【００４６】
また、画面１４０のリセットボタン１４６は、「用紙排出枚数」の初期化を指示するためのＧＵＩボタンである。「用紙排出枚数」は、用紙の累積使用枚数のカウンタの計数値である。
【００４７】
以上説明したように、本実施形態の装置は、メッセージ表示により節約を促すという方式なので、ユーザの節約意識を高めることができる。また、両面コピーやＮｕｐ（集約モード）などをデフォルトモードとして設定するのではないので、ユーザが意図しないモードで印刷出力されるなどの無駄を低減できる。また、注目する資源の使用量を累積計数し、資源使用量が予防閾値や目標閾値に達してはじめて節約に関するメッセージ表示を行う構成なので、資源使用量が少ないうちは、ジョブ中断やメッセージ表示などが行われず、軽快な操作性を維持できる。
【００４８】
以上の例では、用紙を排出するごとに資源使用量が閾値を超えたか否かを判定したが、これは一例に過ぎない。この代わりに例えば、ジョブ開始時（すなわちスタートボタンが押下された時）に判定し、その時点での資源使用量が閾値を超えていると、印刷を開始する前にジョブを中断し、上記のメッセージを表示してユーザに判断を求めるという構成とすることも好適である。
【００４９】
なお、以上の例は、目標閾値と予防閾値により節約を呼びかけるメッセージを２段階に切り替えられるものであったが、更に多数の閾値を設けて３段階以上の切換ができるようにすることも可能である。
【００５０】
また、本実施形態の画像形成装置は、カウンタで累積計数した資源使用量が目標閾値を超えた時に、画像形成モードを資源節約できるモード（節約モードとよぶ）に自動設定する機能を備える。以下、この機能について図７を参照して説明する。
【００５１】
この機能では、１つのジョブが完了した時に、機械制御部２８は、目標閾値が設定されているか否かを判定し（Ｓ３０）、目標閾値が設定されている資源があれば、その時点でのその資源の資源使用量を目標閾値と比較する（Ｓ３２）。なお、ジョブの完了は、例えば、画像形成処理が終了したあと、ユーザからの操作がないまま所定時間経過したことで判断することができる。また、ユーザが画像形成モードの初期化操作を行った場合などにも、その前のジョブが完了したと判断することができる。
【００５２】
ステップＳ３２の比較の結果資源使用量が目標閾値を超えていれば、機械制御部２８は、画像形成モードとして、あらかじめ登録されている節約モードの内容を自動設定する（Ｓ３４）。なお、目標閾値が設定されていなかったり、設定されていても資源使用量が目標閾値に達していない場合は、節約モードの設定処理（Ｓ３４）は行わない。
【００５３】
このように節約モードを自動設定した場合、タッチパネル２６に対し、自動設定を行った旨を示す表示を行う。この表示としては、例えば図８に示すように、メッセージエリア１００に節約要請メッセージを表示し、メインエリア１１０に、自動設定したモードが選択された状態を示す設定画面を表示するものが可能である。また、自動設定した節約モードの内容をメッセージエリア１１０に表示するなどの表示形態も可能である。
【００５４】
なお、ステップＳ３４で自動設定する節約モードの内容は、資源節約を管理する者があらかじめ画像形成装置に登録しておく。節約モードの内容の登録は、通常の画像形成モードの設定ＵＩ画面（図３（ａ）等参照）と同じＵＩ画面により行うことができる。例えばカラーモードとして「黒」を選択し、出力形式として２枚をまとめて１枚にするモードを選択すれば、白黒の２−ｕｐ出力を節約モードとして登録できる。また、節約モードの内容は、資源の種類ごとに設定可能とする。すなわち、「用紙」に対応する節約モードは「両面かつ２−ｕｐ」、「電力」に対応する節約モードは「白黒」などと、注目する資源の節約に資する節約モードを個別に設定できるようにする。また、登録した節約モードを有効化するか無効化するかも設定できるようにする。節約モードが無効化されている場合は、図７の処理は行わず、したがって節約モードの自動設定は行わない。なお、以上に説明した節約モードの登録用のＵＩにも、暗証番号入力等による保護を設けることが可能である。
【００５５】
このように資源使用量が目標閾値に達した時に、節約モードに自動設定することで、より節約の効果を高めることができる。この方式は、従来の単なるデフォルトモード設定とは異なり、資源使用量が少ないうちは節約モードに設定されないので、ユーザが意図しないモードで出力されるという無駄を減らすことができる。
【００５６】
なお、以上の例では目標閾値に達した場合に節約モードに自動設定すると説明したが、その自動設定の判断基準とする閾値として、目標閾値の代わりに予防閾値を用いることもできる。
【００５７】
また、本実施形態の画像形成装置は、カラー部分の割合が小さいカラー原稿を読み込んだときに、白黒印刷への変更を提案するＵＩ画面（カラー印字確認画面と呼ぶ）を表示する機能を備える。この機能について図９〜図１１を参照して説明する。
【００５８】
図９は、この機能による処理の流れを示すフローチャートである。図９に示した処理は、多色コピーとなる可能性があるモードが選択された場合に実行される処理である。例えば図３（ａ）に示した基本ＵＩ画面において、「カラーモード」として「自動」、「フルカラー４色」、「フルカラー３色」等が選択された時がこれに当たる。カラーモードが「自動」の場合は、原稿自体がカラーの場合にはフルカラーが選択されるので、図９の処理が適用される。
【００５９】
この処理では、原稿の光学的読取が完了した段階で、機械制御部２８がジョブをいったん中断し、以下の確認処理によりユーザの指示を受けるまで、画像形成処理に進むのを待つ。
【００６０】
この確認処理では、まずカラー印字確認画面を表示するモード（カラー印字確認画面モードと呼ぶ）に設定されているかどうかを判定する（Ｓ４０）。このモードに設定されていなければ、このまま処理を終了する。
【００６１】
カラー印字確認画面モードに設定されていれば、更にそのモードの詳細設定内容を調べ、確認要否を常に判定する設定となっているか否かを判定する（Ｓ４２）。この設定は、カラー印字確認画面を表示するか否かの判定を、資源使用量によらず行うか否かを示す設定である。資源使用量に依らずその判定を行う場合は、「確認要否を常に判定する」設定となる。
【００６２】
ステップＳ４２の判定の結果が否定（Ｎ）の場合、カラー印字確認画面を表示するか否かの判定は、資源使用量と閾値との関係に基づき行う。そこで、ステップＳ４４では、判定に用いる閾値が目標閾値か否かを判定する。判定に用いる閾値が目標閾値の場合には、資源使用量と目標閾値とを比較し（Ｓ４６）、資源使用量が目標閾値より大きい場合に確認要否の判定を行う。一方、判定に用いる閾値が予防閾値である場合は、資源使用量と予防閾値とを比較し（Ｓ４８）、資源使用量が予防閾値より大きい場合に確認要否の判定を行う。
【００６３】
確認要否の判定は、読み込んだ原稿のカラー部分の割合（カラー割合と呼ぶ）があらかじめ設定された割合閾値以下であるか否かで判定する（Ｓ５０）。ステップＳ４２，Ｓ４６，Ｓ４８の判定の結果が肯定（Ｙ）の場合、このステップＳ５０の判定を行う。原稿のカラー割合は、原稿の全面積のうちカラー部分が占める割合である。原稿のカラー割合は、従来から公知の手法で求めることができる。
【００６４】
ステップＳ５０の判定でカラー割合が割合閾値以下であると判定した場合、機械制御部２８はタッチパネル２６にカラー印字確認画面を表示し、ユーザにカラー印字を続行するか、白黒印字に変更するかの判断を求める（Ｓ５２）。
【００６５】
図１０は、カラー印字確認画面１６０の表示例を示す図である。このカラー印字確認画面１６０では、原稿のカラー領域の割合が割合閾値（この例では１０％）以下であることを指摘するとともに、カラーコピーの方が白黒コピーよりも電力消費が大きいことを指摘している。ユーザは、この表示を見て、カラーコピーにするか、白黒コピーにするかを判断し、カラーコピーを選ぶ場合はＧＵＩボタン１６２を、白黒コピーを選ぶ場合はＧＵＩボタン１６４を押下する。すると、機械制御部２８は、押下されたＧＵＩボタン１６２又は１６４に対応するカラーモード（カラー又は白黒）でジョブを再開する。なお、ハードウエアボタンのスタートボタンを押下しても、現在指定しているモードで処理を続行することができる。
【００６６】
図１１を参照して、カラー印字確認画面についての各種設定のＵＩの一例を説明する。
【００６７】
図１１（ａ）は、カラー印字確認画面に対する設定のための初期画面１７０の一例を示す図である。この初期画面１７０は、図３（ａ）等に示すＵＩ画面上に設けられる当該画面呼出用のＧＵＩボタンの押下により、タッチパネル２６に表示される。この初期画面呼出用のハードウエアボタンを機械操作部２４に設けてももちろんよい。この初期画面呼出に対し、暗証番号入力などの保護の仕組みを設けることで、閾値設定可能な権限者を限定することが可能である。
【００６８】
この初期画面１７０には、上述したカラー印字確認画面の表示機能を利用するか、利用しないかを設定するボタン１７２ａ，１７２ｂが設けられる。すなわち「する」ボタン１７２ａはカラー印字確認画面モードを選択することを指示するためのボタンであり、「しない」ボタン１７２ｂはカラー印字確認画面モードを選択しないことを指示するためのボタンである。「しない」ボタン１７２ｂが押下され、決定ボタン１７４が押下されれば、上記のカラー印字確認画面のための判定及び表示の処理は行われない。「する」ボタン１７２ａが押下されると、（ｂ）に示す画面１８０が表示される。この画面１８０では、図９の手順のステップＳ４２及びＳ４４での確認要否判定の実行条件を設定することができる。確認要否の判定を常に行う場合は、「つねに表示」ボタン１８２を選択すればよい。
【００６９】
この確認要否の実行条件を個別に設定する場合は、詳細表示設定１８４ボタンを押下する。すると、（ｃ）に示す詳細表示設定画面１９０が表示される。この詳細表示設定画面１９０には、「用紙」、「電力」、「料金」の各資源ごとに欄が設けられ、各欄にはそれぞれ「目標に達した後に表示する」ボタン１９１，「目標に達する前に表示する」ボタン１９２，「表示しない」ボタン１９３が設けられている。ステップＳ４４での判定閾値として目標閾値を用いる場合にはボタン１９１を選択すればよい。同様に判定閾値として予防閾値を用いる場合はボタン１９２を選択すればよい。カラー印字確認画面の表示判定に際して注目しない資源については、その資源の「表示しない」ボタン１９３を選択すればよい。例えば、用紙使用枚数の欄でボタン１９３が選択されていれば、図９のカラー印字確認画面の表示判定手順では用紙の使用量は考慮しない。このようにして、各資源ごとに、判定閾値として目標閾値を用いるか、予防閾値を用いるか、それともその資源自体を無視するか、の設定を行うことができる。「決定」ボタン１９４を押下すれば、その時点の画面１９０上のボタン選択状態に応じた設定情報が機械制御部２８に登録され、（ｂ）の画面１８０に戻る。
【００７０】
カラー割合に対する割合閾値の設定は、画面１８０で「カラー割合設定」ボタン１８６を押下することにより行うことができる。このボタン１８６の押下により、（ｄ）に示すカラー割合設定画面１９５が表示される。この画面１９５が表示された状態で、機械操作部２４のテンキーから数値を入力すると、その数値が割合閾値として入力欄１９７に表示される。所望の割合閾値を入力した後、決定ボタン１９９を押下すると、（ｂ）の画面１８０に戻る。
【００７１】
以上のようにしてカラー印字確認画面の表示判定の実行条件と、割合閾値の設定が完了すると、画面１８０上の「決定」ボタン１８８を押下することで（ａ）の初期画面１７０に戻り、更に「決定」ボタン１７４を押下することで、カラー確認画面の設定ＵＩの処理が終了する。
【００７２】
以上説明したように、原稿のカラー割合が小さい場合には、カラー印字確認画面を表示してカラー印字を続行するか、白黒印字に切り替えるかの判断をユーザに求めるようにすることで、各種資源の節約を図ることができる。また、その確認画面の表示のタイミングを、各種資源の使用量との関連で規定することができるので、節約したい資源に応じたきめ細かい条件設定ができる。
【００７３】
また、本実施形態の画像形成装置は、画像形成モードとしてＮｕｐ機能が選択されていないときに、Ｎｕｐ機能の選択を提案するＵＩ画面（Ｎｕｐ確認画面と呼ぶ）を表示する機能を備える。この機能について図１２〜図１７を参照して説明する。
【００７４】
図１２及び図１３は、この機能による処理の流れを示すフローチャートである。この確認処理では、スタートボタン押下によりジョブが開始されたときに、まずＮｕｐ確認画面を表示するモード（Ｎｕｐ確認画面モードと呼ぶ）に設定されているかどうかを判定する（Ｓ６０）。このモードに設定されていなければ、このまま本機能の処理を終了し、通常のジョブ処理に移行する。
【００７５】
Ｎｕｐ確認画面モードに設定されている場合、Ｎｕｐ確認画面を表示するか否かの判定を行う。ここで本実施形態では、この判定のタイミングとして、「原稿読取前」と「先読み後」の２種類を指定できる。「原稿読取前」は、スタートボタン押下によるジョブの開始後、自動原稿送り装置にセットされた原稿束をまだ１枚も読み取っていない時点のことである。「先読み後」は、その原稿束の全ページを先読みした後、かつ用紙への画像形成を開始する前の時点のことである。なお、先読み処理とは、用紙への画像形成を行わずに、いったん原稿の全ページを読み取ってその画像データを画像形成装置内に蓄積する処理である。
【００７６】
したがってステップＳ６０でＮーｕｐ確認画面モードであると判定した場合、原稿読込を行う前（Ｓ６２の判定結果Ｙ）の時点で、Ｎｕｐ印字確認画面の表示判定のタイミングが「原稿読取前」に設定されているかどうかを判定する（Ｓ６４）。この判定結果が肯定（Ｙ）の場合、図１３に示す手順に進んで表示判定を行う。ステップＳ６２の判定結果が否定（Ｎ）の場合はステップＳ６６に移行し、自動原稿送り装置にセットされた原稿の読取が完了するのを待つ。原稿読取が完了すると、現在のジョブに対して先読みモードが選択されているかどうかを判定する（Ｓ６８）。先読みモードが選択されていなければ、既に用紙に対する画像形成処理が始まっているので、Ｎｕｐ確認画面表示に関する処理は終了し、通常のジョブ処理を続行する。先読みモードが選択されている場合は、Ｎｕｐ印字確認画面の表示判定のタイミングが「先読み後」に設定されているかどうかを判定する（Ｓ７０）。この判定結果が肯定（Ｙ）の場合、図１３に示す手順に進み、否定（Ｎ）の場合はＮｕｐ確認画面表示に関する処理を終了し、通常のジョブ処理を続行する。
【００７７】
図１３に示す表示判定処理では、まずＮｕｐ確認画面モードの詳細設定内容を調べ、確認要否を常に判定する設定となっているか否かを判定する（Ｓ７２）。この設定は、Ｎｕｐ確認画面を表示するか否かの判定を、資源使用量によらず行うか否かを示す設定である。資源使用量に依らずその判定を行う場合は、「確認要否を常に判定する」設定となる。
【００７８】
ステップＳ７２の判定の結果が否定（Ｎ）の場合、Ｎｕｐ確認画面を表示するか否かの判定は、資源使用量と閾値との関係に基づき行う。そこで、ステップＳ７４では、判定に用いる閾値が目標閾値か否かを判定する。判定に用いる閾値が目標閾値の場合には、資源使用量と目標閾値とを比較し（Ｓ７６）、資源使用量が目標閾値より大きい場合に確認要否の判定を行う。一方、判定に用いる閾値が予防閾値である場合は、資源使用量と予防閾値とを比較し（Ｓ７８）、資源使用量が予防閾値より大きい場合に確認要否の判定を行う。
【００７９】
確認要否の判定では、ジョブの画像形成モードにＮｕｐ機能が選択されているか否かを判定する（Ｓ８０）。ステップＳ７２，Ｓ７６，Ｓ７８の判定の結果が肯定（Ｙ）の場合、このステップＳ８０の判定を行う。
【００８０】
ステップＳ８０の判定でＮｕｐ機能が選択されていないと判定した場合、機械制御部２８はタッチパネル２６にＮｕｐ確認画面を表示し、ユーザに対し、原稿１ページを用紙１ページに印刷する現在の設定で画像形成を続行するか、Ｎｕｐに変更するかの判断を求める（Ｓ８２）。
【００８１】
次に、Ｎｕｐ確認画面の例を説明する。本実施形態では、判定タイミングが原稿読取前の場合と先読み後の場合とで、異なるＮｕｐ確認画面を提供する。
【００８２】
図１４は、判定タイミングが原稿読取前の場合のＮｕｐ確認画面２００の例を示す図である。このＮｕｐ確認画面２００には、Ｎｕｐ機能が選択されていないことを示すメッセージと、Ｎｕｐの使用を推奨するメッセージが表示されている。この画面２００で確認ボタン２０２を押下すると、図３（ａ）に例示した基本ＵＩ画面が表示され、画像形成モードの再設定を行うことができる。
【００８３】
図１５は、判定タイミングが先読み後の場合のＮｕｐ確認画面２１０の表示例を示す図である。このＮｕｐ確認画面２１０は、Ｎｕｐ機能が選択されていないことを示すメッセージを表示すると共に、先読みした原稿枚数を表示し、その原稿枚数を２ｕｐ、４ｕｐ、８ｕｐで出力した場合、及びそれらＮｕｐと両面機能との併用で印刷した場合の用紙使用枚数を表示することで、節約の効果を示している。この画面２１０で「まとめて１枚」ボタン２１２を押下すれば、図１６に例示するＮｕｐ機能設定画面２２０が表示され、Ｎｕｐ機能の設定を行うことができる。また、画面２１０で「両面／片面選択」ボタン２１４を押下すれば、両面／片面機能設定画面が表示され、両面出力を選択することもできる。これらＮｕｐ機能設定画面、両面機能設定画面で希望する設定を済ませた後、スタートボタンを押下することで、読込済みの原稿束の画像形成がその設定に合わせて実行される。
【００８４】
次に、図１７を参照して、このＮｕｐ確認画面についての各種設定のＵＩの一例を説明する。
【００８５】
図１７（ａ）は、Ｎｕｐ確認画面に対する設定のための初期画面２３０の一例を示す図である。この初期画面２３０は、図３（ａ）等に示すＵＩ画面上に設けられる当該画面呼出用のＧＵＩボタン、又は専用のハードウエアボタンの押下により、タッチパネル２６に表示される。この初期画面呼出に対し、暗証番号入力などの保護の仕組みを設けることで、閾値設定可能な権限者を限定することも可能である。
【００８６】
この初期画面２３０には、上述したＮｕｐ確認画面の表示機能を利用するか、利用しないかを設定するボタン２３２ａ，２３２ｂが設けられる。「しない」ボタン２３２ｂが押下され、決定ボタン２３４が押下されれば、上記のＮｕｐ確認画面のための判定及び表示の処理は行われない。「する」ボタン２３２ａが押下されると、（ｂ）に示す画面２４０が表示される。この画面２４０では、図１３の手順のステップＳ７２及びＳ７４での確認要否判定の実行条件を設定することができる。確認要否の判定を常に行う場合は、「つねに表示」ボタン２４２を選択すればよい。
【００８７】
この確認要否の実行条件を個別に設定する場合は、詳細表示設定２４４ボタンを押下する。すると、（ｃ）に示す詳細表示設定画面２５０が表示される。この詳細表示設定画面２５０には、「用紙」、「電力」、「料金」の各資源ごとに欄が設けられ、各欄にはそれぞれ「目標に達した後に表示する」ボタン２５１，「目標に達する前に表示する」ボタン２５２，「表示しない」ボタン２５３が設けられている。ステップＳ７４での判定閾値として目標閾値を用いる場合にはボタン２５１を選択すればよい。同様に判定閾値として予防閾値を用いる場合はボタン２５２を選択すればよい。また、Ｎｕｐ確認画面の表示判定に際して注目しない資源については、その資源の「表示しない」ボタン２５３を選択すればよい。このようにして、各資源ごとに、判定閾値として目標閾値を用いるか、予防閾値を用いるか、それともその資源自体を無視するか、の設定を行うことができる。「決定」ボタン２５４を押下すれば、その時点の画面２５０上のボタン選択状態に応じた設定情報が機械制御部２８に登録され、（ｂ）の画面２４０に戻る。
【００８８】
また画面２４０には、判定タイミングを選択するためのＧＵＩボタンとして、「原稿読込前」に対応するボタン２４６ａと「先読み後」に対応するボタン２４６ｂとが設けられている。
【００８９】
これらＵＩ画面によりＮｕｐ確認画面の表示判定の実行条件と判定タイミングとを選択し、画面２４０上の「決定」ボタン２４８を押下することで（ａ）の初期画面２３０に戻り、更に「決定」ボタン２３４を押下することで、Ｎｕｐ確認画面の設定ＵＩの処理が終了する。
【００９０】
以上説明したように、ジョブの画像形成モードとしてＮｕｐ機能が選択されていない場合に、Ｎｕｐ確認画面を表示してＮｕｐ機能の選択の機会を提供することで、各種資源の節約を図ることができる。また、その確認画面の表示のタイミングを、各種資源の使用量との関連で規定することができるので、節約したい資源に応じたきめ細かい条件設定ができる。
【００９１】
以上、Ｎｕｐ確認画面及びその表示のための判定処理について説明したが、両面印刷についても同様の方法が適用できる。すなわち、両面機能が選択されていない場合にＮｕｐ確認画面と同様の両面確認画面を表示することで、節約の機械を提供できる。この両面確認画面の表示判定の実行条件や判定タイミング、及びそれらの設定ＵＩも、Ｎｕｐ確認画面の場合と同様の者を用いることができる。
【００９２】
また、本実施形態の画像形成装置は、前述した各資源の使用量を計数するカウンタの計数値を表示するメータ確認画面を提供する。図１８は、このメーター確認画面２６０の一例を示す図である。このメーター確認画面２６０には、用紙、電力、料金の各資源についての現在の使用量計数値が表示されている。またこのメーター確認画面２６０には、それら各資源の使用量計数値を一括して初期化するリセットボタン２６２が設けられる。このメーター確認画面２６０は、図３（ａ）等に示した基本ＵＩ画面などのＧＵＩボタンの選択操作に応じて呼び出すことができる。この画面２６０に対し暗証番号入力等による保護を設けることももちろん可能である。
【００９３】
このように、各資源の使用量の現在値を表示する画面２６０を提供することで、管理者等は随時現在の資源使用量を確認することができる。また、この画面２６０に資源使用量計数値のリセットボタン２６２を設けることで、管理者等は必要に応じて計数値のリセットを行うことができる。
【００９４】
また画像形成装置の中には、使用するユーザをＩＤカードや暗証番号等で認証する認証機構を備え、課金等のためにユーザごと又はその所属部門ごとに該装置の使用量（あるいは課金そのもの）を集計する機能を備えるものがある。
【００９５】
これと同様のユーザ認証機構を利用して、以上説明した実施形態の処理を、ユーザ単位や部門単位など、所定の管理単位ごとに行うことも可能である。例えば、ある管理単位Ａについては上述の実施形態の節約推進処理を行うが、別の管理単位Ｂについてはそのような節約推進処理を行わない等という設定が可能である。また、各資源の使用量の計数や、目標閾値等の閾値設定、カラー印字確認画面等の各種確認画面の設定などを管理単位ごとに行い、管理単位ごとに個別に上記実施形態の節約推進処理を実行することもできる。
【図面の簡単な説明】
【図１】画像形成装置の構成例を概略的に示す図である。
【図２】資源節約のためのメッセージ表示処理の手順を示すフローチャートである。
【図３】資源節約のためのメッセージ表示を行うＵＩ画面の表示例を示す図である。
【図４】資源節約のためのメッセージ表示を行うＵＩ画面の別の例を示す図である。
【図５】メッセージ表示の要否判定のための閾値設定の目安のための基準とする画像形成モード（基準値）を設定するＵＩ画面の例を示す図である。
【図６】メッセージ表示の要否判定のための閾値を設定するＵＩ画面の例を示す図である。
【図７】節約モードへ自動設定処理の手順を示すフローチャートである。
【図８】節約モードが自動設定された時に表示されるＵＩ画面の例を示す図である。
【図９】カラー印字確認画面の表示処理の手順を示すフローチャートである。
【図１０】カラー印字確認画面の一例を示す図である。
【図１１】カラー印字確認画面についての各種設定のためのＵＩ画面の例を示す図である。
【図１２】Ｎｕｐ確認画面の表示処理の手順の前半部を示すフローチャートである。
【図１３】Ｎｕｐ確認画面の表示処理の手順の後半部を示すフローチャートである。
【図１４】判定タイミングが原稿読取前の場合のＮｕｐ確認画面の一例を示す図である。
【図１５】判定タイミングが先読み後の場合のＮｕｐ確認画面の一例を示す図である。
【図１６】Ｎｕｐ機能設定画面の一例を示す図である。
【図１７】Ｎｕｐ確認画面についての各種設定のためのＵＩ画面の例を示す図である。
【図１８】メーター確認画面の一例を示す図である。
【符号の説明】
１０　原稿読取部、１２　原稿送り部、１４　印刷部、１６　用紙トレイ、２０　用紙排出部、２２　排出トレイ、２４　機械操作部、２６　タッチパネル、２８　機械制御部。
【図１】
2004004296.tif 000003
【図２】
2004004296.tif 000004
【図３】
2004004296.tif 000005
【図４】
2004004296.tif 000006
【図５】
2004004296.tif 000007
【図６】
2004004296.tif 000008
【図７】
2004004296.tif 000009
【図８】
2004004296.tif 000010
【図９】
2004004296.tif 000011
【図１０】
2004004296.tif 000012
【図１１】
2004004296.tif 000013
【図１２】
2004004296.tif 000014
【図１３】
2004004296.tif 000015
【図１４】
2004004296.tif 000016
【図１５】
2004004296.tif 000017
【図１６】
2004004296.tif 000018
【図１７】
2004004296.tif 000019
【図１８】
2004004296.tif 000020